(57)【特許請求の範囲】
【請求項１】
被験者の血液中において，配列番号１〜４からなる群より選択されるペプチドに対する抗体の抗体価を測定することを特徴とする，ＨＣＶ感染に関連する肝疾患の進行を予測する方法。
【請求項２】
Ｃ型肝炎ウイルス感染に関連する肝疾患の進行を予測するためのキットであって，配列番号１〜４からなる群より選択されるペプチドを含むキット。
【請求項３】
肝疾患の進行が，慢性肝炎から肝硬変への進行である，請求項２に記載のキット。
【請求項４】
肝疾患の進行が，慢性肝炎または肝硬変から肝癌への進行である，請求項２に記載のキット。
【発明の詳細な説明】
【技術分野】
【０００１】
本発明は，Ｃ型肝炎ウイルス感染に関連する肝疾患の予後の予測に関する。より詳細には，本発明は，Ｃ型肝炎ウイルス感染に関連する肝疾患の，肝炎から肝硬変へ，さらに肝細胞癌への進行を予測する方法，およびかかる方法に用いるためのキットに関する。
【背景技術】
【０００２】
Ｃ型肝炎ウイルス（ＨＣＶ）のキャリアは我が国では２００万人，全世界では２億人と推定されている。さらにこれらのＨＣＶ感染者の多くが慢性肝炎の症状を呈している。慢性Ｃ型肝炎は放置しておけば年率２〜３％の割合で肝硬変へと進行し，それらの患者はさらに年率５〜７％の割合で肝癌（肝細胞癌）へと移行する。【０００３】
Ｃ型肝炎ウイルス感染の検出方法としては，高感度の診断法が普及している。スクリーニング法としては，ＨＣＶのNS3,4領域に対応したリコンビナント抗原(C100-3)のみを用いた第1世代抗体検査，コア領域,NS3,NS4,NS5(第3世代のみ)に対応した,リコンビナント抗原を用いた第2・第3世代抗体検査が用いられている。また，確定法として，ウイルス抗原遺伝子同定法が存在する。【０００４】
一方，Ｃ型肝炎ウイルス関連肝疾患の診断法としては，患者血清ＡＬＴ値やAST値などの多種類のマーカーによる肝機能検査，腫瘍マーカーＡＦＰやPIVKA IIの測定，ウイルス量の測定，および生検により線維化および癌化への移行を診断する方法が用いられている。しかし，これらの方法では，Ｃ型肝炎ウイルス関連肝疾患の予後を予測することは困難であった。例えばウイルス量が高値だからといって必ずしも肝癌ではないなど，上述のマーカーの測定値が必ずしも肝病変の進行にパラレルではないことが多いためである。【０００５】
予後を予測しうる新たな検査法として，生体のもつウイルス排除の免疫機能を反映した検査法が開発されている。本発明者らは先に，ＨＣＶコア蛋白質のＣ３５ペプチドに対する抗体がＣ型慢性肝炎患者の血漿中に認められるが，健康人やＢ型慢性肝炎患者の血漿中には認められないことを見出し，このペプチドに対する抗体を多数の慢性肝炎・肝硬変・肝癌患者（いずれもＣ型肝炎ウイルス感染者），および健康人の血漿を用いて調べた。その結果，検出の特異性は１００％，感度は９３％以上であり，Ｃ型肝炎ウイルス診断に極めて有効な方法であることが示された。また，この抗体は患者の病態（肝炎・肝硬変・肝癌）およびウイルスの亜種（ＨＣＶ−１ｂ，２ａ，２ｂ）には無関係であることが明らかとなった（ＷＯ０３／０２５５６９）。【０００６】
さらに，前述のコア蛋白質とは別の非構造蛋白質のＮＳ５Ａ−２１３２ペプチドに対するＩｇＧ抗体が，治癒例やＨＣＶ初期の慢性肝炎では高値を示すが，病気の進行に伴い低下することを見出した（ＷＯ２００５／０２８５０３）。上述の抗Ｃ３５ペプチド抗体の血清レベルは持続感染と相関するため，これらの２種類のペプチドに対する抗体価をモニターすることにより，ＨＣＶ感染の診断と予後の判定，すなわち肝癌への移行の予測が可能となることが示された。【０００７】
さらに，より確実な予後の予測のために，これらの２種類のペプチドと組み合わせて予後の予測に用いることができる別のマーカーを開発することが求められている。【０００８】
本明細書において引用される参考文献は以下のとおりである。これらの文献に記載される内容はすべて本明細書の一部としてここに引用する。
【特許文献１】ＷＯ０３／０２５５６９
【特許文献２】ＷＯ２００５／０２８５０３
【発明の開示】
【発明が解決しようとする課題】
【０００９】
本発明は，Ｃ型肝炎ウイルス感染に関連する肝疾患の予後の予測に用いることができる新規なマーカーを提供することを目的とする。
【課題を解決するための手段】
【００１０】
本発明者らは，Ｃ型肝炎ウイルス感染患者において，肝病変の進行に伴ってＨＣＶコア蛋白質３０−３９ペプチドに対する抗体価が増加することを見出して，本発明を完成させた。【００１１】
本発明は，被験者の血液中において，Ｃ型肝炎ウイルスコア蛋白質のアミノ酸Ｇｌｙ３２を含む連続する８個以上のアミノ酸からなるペプチドに対する抗体の抗体価を測定することを含む，ＨＣＶ感染に関連する肝疾患の進行を予測する方法を提供する。本明細書においては、ＨＣＶペプチドの番号付けは、ＨＣＶ１ｂウイルスゲノムのコンセンサス配列によってコードされる全翻訳領域のアミノ酸配列にしたがい、N末端側より順次番号付けを行っている。コンセンサス配列によってコードされるアミノ酸配列を図５に示す。【００１２】
抗ＨＣＶ抗体とは，Ｃ型肝炎ウイルスに由来するペプチドと結合することができる抗体を意味する。ＨＣＶに感染した患者の血清中では，抗ＨＣＶ抗体を検出することができる。Ｃ型肝炎ウイルス感染に関連する肝疾患とは，Ｃ型肝炎ウイルス感染を原因とする肝臓の疾患を意味し，例えば，肝炎，肝硬変および肝細胞癌が含まれる。肝疾患の進行は，典型的には，慢性肝炎から肝硬変への進行，さらに肝硬変から肝癌への進行である。【００１３】
より好ましくは，本発明の方法においてはさらに，被験者の血液中において，Ｃ型肝炎ウイルスの非構造蛋白質ＮＳ５Ａのアミノ酸Ａｒｇ２１３２を含む連続する８個以上のアミノ酸からなるペプチドに対する抗体価を測定する。【００１４】
また好ましくは，本発明の方法においてはさらに，Ｃ型肝炎ウイルスコア蛋白質のＧｌｙ３３からＶａｌ４８までのアミノ酸のうち連続する８個以上のアミノ酸からなるペプチドに対する抗体価を測定する。【００１５】
別の観点においては，本発明は，Ｃ型肝炎ウイルスコア蛋白質のアミノ酸Ｇｌｙ３２を含む連続する８個以上のアミノ酸からなるペプチドと結合しうる抗ＨＣＶ抗体により認識されるペプチドを含む，Ｃ型肝炎ウイルス感染に関連する肝疾患の進行を予測するためのキットを提供する。【００１６】
好ましくは，本発明のキットは，Ｃ型肝炎ウイルスコア蛋白質のアミノ酸Ｇｌｙ３２を含む連続する８個以上のアミノ酸からなるペプチドを含む。特に好ましくは，本発明のキットは，ＩＶＧＧＶＹＬＬＰＲ（配列番号１），ＶＧＧＶＹＬＬＰＲＲ（配列番号２）およびＧＧＶＹＬＬＰＲＲＧ（配列番号３）からなる群より選択されるペプチドを含む。【００１７】
また好ましくは，本発明のキットはさらに，Ｃ型肝炎ウイルスの非構造蛋白質ＮＳ５Ａのアミノ酸Ａｒｇ２１３２を含む連続する８個以上のアミノ酸からなるペプチドと結合しうる抗体により認識されるペプチドを含む。また好ましくは，本発明のキットはさらに，Ｃ型肝炎ウイルスコア蛋白質のＧｌｙ３３からＶａｌ４８までのアミノ酸のうち連続する８個以上のアミノ酸からなるペプチドと結合しうる抗体により認識されるペプチドを含む。
【発明の効果】
【００１８】
本発明にしたがえば，ウイルス感染の陽性陰性を判定するのみならず，Ｃ型肝炎ウイルス感染に関連する疾患の予後を予測することができる。本発明の方法は，従来の肝機能検査と組み合わせることにより，より正確な予後の予測を可能とする。
【図面の簡単な説明】
【００１９】
【図１】図１は，被験者の血清中の，Ｃ３０−３９ペプチド，ＮＳ５Ａ−２１３２−２１４０ペプチド，およびＣ３３−４２ペプチドに対する抗体価を示す。
【図２】図２は，被験者の血清中の，Ｃ３０−３９ペプチド，Ｃ３１−４０ペプチド，およびＣ３２−４１ペプチドに対する抗体価を示す。
【図３】図３は，被験者の血清中の，Ｃ３３−４２ペプチド，Ｃ３４−４３ペプチド，Ｃ３５−４４ペプチド，Ｃ３６−４５ペプチドおよびＣ３７−４６ペプチドに対する抗体価を示す。
【図４】図４は，被験者の血清中の，Ｃ３０−３９ペプチドに対する抗体価とＣ３５−４４ペプチドに対する抗体価の比率を示す。
【図５】図５は、ＨＣＶ１ｂウイルスゲノムのコンセンサス配列によってコードされる全翻訳領域のアミノ酸配列にしたがい、N末端側より順次番号付けを行っている。コンセンサス配列によってコードされるアミノ酸配列を示す。図中、Ｃ３０−３９ペプチドおよびＮＳ５Ａ−２１３２−２１４０ペプチドには下線が付されている。
【図６】図６−１から図６−１６は、ＨＣＶ１ｂの種々の単離物のアミノ酸配列のホモロジーを示す。
【発明を実施するための最良の形態】
【００２０】
本発明は，被験者の血液中において，Ｃ型肝炎ウイルスコア蛋白質のアミノ酸Ｇｌｙ３２を含む連続する８個以上のアミノ酸からなるペプチドに対する抗体の抗体価を測定することを含む，ＨＣＶ感染に関連する肝疾患の進行を予測する方法を提供する。【００２１】
Ｃ型肝炎ウイルス感染に関連する肝疾患とは，Ｃ型肝炎ウイルス感染を原因とする肝臓の疾患を意味し，例えば，肝炎，肝硬変および肝細胞癌が含まれる。肝疾患の進行は，典型的には，慢性肝炎から肝硬変への進行，さらに肝硬変から肝癌への進行である。【００２２】
被験者の血液中の抗体価は，当該技術分野においてよく知られる抗原抗体反応を用いて測定することができる。例えば，典型的なＥＬＩＳＡ法を用いる場合には，以下のようにして測定を行うことができる。抗原であるペプチドを９６ウェルなどの慣用のＥＬＩＳＡプレートに結合させ，非特異的吸着を防止するためにプレートを適宜ブロッキングする。次に被験者の血液から調製した血清を適宜希釈してプレートの各ウェルに加えて，所定時間反応する。プレートを洗浄して未結合成分を除去した後，ヒト抗体と結合しうる抗体（例えばウサギ抗ヒト抗体）を加える。ＩｇＧを検出することが望まれる場合には，γ鎖特異的抗ヒトＩｇＧを用いることができる。所定時間反応した後，プレートを洗浄し，検出可能なように標識した抗体（例えば抗ウサギＩｇＧ）を加える。標識は，酵素，蛍光色素，化学発光物質，ビオチン，放射線化合物等を用いて，当業者によく知られる方法により行うことができる。プレートを所定時間反応した後，適当な基質を加えて基質の減少もしくは生成物の増加を測定するか，または蛍光，発光，放射活性を測定することにより，標識を検出する。このようにして，被験者の血清における特定のペプチドに対する抗体の量を測定することができる。【００２３】
このような抗原抗体反応により抗体を検出する方法のうち，感度の高い方法の１つとしてｘＭＡＰ技術がある。これは，Luminex社が開発した蛍光マイクロビーズアレイシステムによるフローメトリー測定法であり，ペプチドを結合させたマイクロビーズと血清とを接触させ，次に，蛍光標識二次抗体を結合させて，フローメトリーにより蛍光強度を測定する。この方法を用いる抗体価の測定の詳細は，下記の実施例に示される。【００２４】
また，病院の検査室などで抗体価を測定する場合には，免疫クロマト法を用いることができる。この方法は，試験紙上に抗原（または抗体）を線状に分布させた部分を作っておき，検体中の抗体と着色粒子で標識された抗原との複合体が試験紙上を移動する際に，抗原（または抗体）に集中的に捕捉されることで現れる色付きのラインの有無によって定性分析を行う方法である。この方法を用いれば，簡便な設備で短時間（２０〜３０分以内）で結果を得ることができる。【００２５】
本発明において検出に用いられるペプチドは，既知のＣ型肝炎ウイルスの遺伝子配列に基づいて，コア蛋白質のアミノ酸Ｇｌｙ３２を含む連続する８個以上のアミノ酸からなるペプチドを製造することにより得ることができる。本発明において特に好ましいペプチドは，Ｃ３０ペプチド：ＩＶＧＧＶＹＬＬＰＲ（配列番号１），Ｃ３１ペプチド：ＶＧＧＶＹＬＬＰＲＲ（配列番号２）およびＣ３２ペプチド：ＧＧＶＹＬＬＰＲＲＧ（配列番号３）である。これらのペプチドは，本発明の作用効果を奏する程度に上記の配列を有していればよく，付加的な配列が含まれていてもよい。当業者であれば，抗体を検出するための抗原ペプチドとして所望の作用効果を奏するためには，すなわち目的とする抗体と特異的に結合することができるためには，そのＮ末端側およびＣ末端側にそれぞれどの程度の配列の付加が許容されるかを当然に理解することができる。したがって，例えば，本発明にかかるペプチドのＮ末端側および／またはＣ末端側に，融合蛋白質としてペプチドを発現させるのに便利なアミノ酸配列や，ペプチドの製造および精製に便利なアミノ酸配列が付加されていてもよい。また，本発明にかかるペプチドは，抗体との結合の特異性が失われない限り，化学的に修飾されていてもよく，ポリマーや糖鎖が付加されていてもよい。さらに、当該技術分野においてよく知られているように、ＨＣＶの種々の株や同じ株の種々の単離物の間に配列のバリエーションが存在する。当業者は、本発明の教示にしたがって、これらのバリエーション配列に対応するペプチド配列を選択することもでき、そのような配列を有するペプチドも本発明の範囲内である。配列のバリエーションの例として、ＨＣＶ１ｂの種々の単離物のアミノ酸配列のホモロジーを図６−１から図６−１６に示す。【００２６】
より好ましくは，本発明の方法においてはさらに，被験者の血液中において，Ｃ型肝炎ウイルスの非構造蛋白質ＮＳ５Ａのアミノ酸Ａｒｇ２１３２を含む連続する８個以上のアミノ酸からなるペプチド，例えば，ＮＳ５Ａ−２１３２ペプチド：ＲＹＡＰＡＣＫＰＬ（配列番号４）に対する抗体価を測定する。このペプチドに対する抗体は，ＨＣＶ感染関連肝疾患の治癒例やＨＣＶ初期の慢性肝炎では高値を示すが，病気の進行に伴い低下することが知られている。したがって，上述の本発明の方法と組み合わせることにより，より確実な予後の予測が可能となる。【００２７】
また好ましくは，本発明の方法においてはさらに，被験者の血液中において，Ｃ型肝炎ウイルスコア蛋白質のＧｌｙ３３からＶａｌ４８までのアミノ酸のうち連続する８個以上のアミノ酸からなるペプチド，例えば，Ｃ３３ペプチド：ＧＶＹＬＬＰＲＲＧＰ（配列番号５），Ｃ３４ペプチド：ＶＹＬＬＰＲＲＧＰＲ（配列番号６）またはＣ３５ペプチド：ＹＬＬＰＲＲＧＰＲＬ（配列番号７）に対する抗体価を測定する。これらのペプチドに対する抗体は，ＨＣＶ感染に関連する慢性肝炎，肝硬変および肝癌の患者の血漿中に高い確率で認められるが，健康人やＢ型肝炎ウイルスに関連する慢性肝炎患者の血漿中には認められないことが見出されている。すなわち，血清中のこれらのペプチドに対する抗体の存在は，ウイルスの持続感染と相関する。したがって，上述の本発明の方法と組み合わせることにより，ならびにＮＳ５Ａ−２１３２ペプチドに対する抗体価の測定と組み合わせることにより，より確実な予後の予測，すなわち肝癌への移行の予測が可能となる。【００２８】
本発明の方法において抗原として用いられるペプチドは，通常の化学的合成法や，目的のアミノ酸配列をコードする塩基配列を発現するように形質転換した宿主を用いた遺伝子組換え技術などにより得ることができる。【００２９】
目的とするペプチドを化学的合成法で製造する場合には，通常のペプチド化学において慣用されている手法によって製造することができ，例えば，ペプチド合成機を使用して，固相合成法により合成することができる。このようにして得られた粗ペプチドは，タンパク質化学において通常使用されている精製方法，例えば，塩析法，限外ろ過法，逆相クロマトグラフィー法，イオン交換クロマトグラフィー法，アフィニティークロマトグラフィー法などによって精製することができる。【００３０】
一方，ペプチドを遺伝子組換え技術で生産する場合には，目的のアミノ酸配列をコードするＤＮＡ断片を適当な発現ベクターに組込み，この発現ベクターを用いて微生物や動物細胞を形質転換して，得られた形質転換体を培養することによって，所望の該ペプチドを得ることができる。使用できる発現ベクターとしては，当該技術分野において公知であるプラスミド，ウイルスベクターなどを用いることができる。ペプチドの発現および精製を容易にするために，ペプチドを融合蛋白質として発現させる手法も当該技術分野においてよく知られている。【００３１】
発現ベクターを用いた宿主細胞の形質転換方法としては，慣用の方法，例えば，塩化カルシウム法，リン酸カルシウム共沈殿法，ＤＥＡＥデキストラン法，リポフェクチン法，エレクトロポレーション法などを使用することができる。得られたペプチドの精製は，培養した培地から回収した細胞抽出液もしくは培養上清から上記精製法により行うことができる。【００３２】
本明細書において明示的に引用される全ての特許および参考文献の内容は全て本明細書の一部としてここに引用する。また，本出願が有する優先権主張の基礎となる出願である日本特許出願２００５−１２１２９３号の明細書および図面に記載の内容は全て本明細書の一部としてここに引用する。【００３３】
以下に実施例により本発明をより詳細に説明するが，本発明はこれらの実施例により限定されるものではない。
【実施例】
【００３４】
種々の肝疾患を有するＨＣＶ感染者と健常人の血清を用いて，以下のペプチドに対する抗体価を測定した：
Ｃ３０−３９：ＩＶＧＧＶＹＬＬＰＲ（配列番号１）
Ｃ３１−４０：ＶＧＧＶＹＬＬＰＲＲ（配列番号２）
Ｃ３２−４１：ＧＧＶＹＬＬＰＲＲＧ（配列番号３）
ＮＳ５Ａ−２１３２−２１４０：ＲＹＡＰＡＣＫＰＬ（配列番号４）
Ｃ３３−４２：ＧＶＹＬＬＰＲＲＧＰ（配列番号５）
Ｃ３４−４３：ＶＹＬＬＰＲＲＧＰＲ（配列番号６）
Ｃ３５−４４：ＹＬＬＰＲＲＧＰＲＬ（配列番号７）
Ｃ３６−４５：ＬＬＰＲＲＧＰＲＬＧ（配列番号８）
Ｃ３７−４６：ＬＰＲＲＧＰＲＬＧＶ（配列番号９）【００３５】
検体としては，肝疾患と診断された患者群（慢性肝炎（ＣＨ）２１例，肝硬変（ＬＣ）２１例，肝臓癌（ＨＣＣ）２７例）と，健常人（ＨＤ）２０例を用いた。ペプチドは，Ｔｈｅｒｍｏ社より純度９０％以上のものを購入した。【００３６】
ペプチド結合ビーズの調製
以下の操作は，特に記載のないかぎり，室温（２５℃）で行った。フィルタープレートを０．０５％Ｔｗｅｅｎ−２０／ＰＢＳで洗浄した。暗所でフィルタープレートの各ウェルにカルボキシビーズ（Luminex社製）を１００μｌずつ入れて吸引し，０．１Ｍ  ＭＥＳ（２−モルホリノエタンスルホン酸）緩衝液（ｐＨ７．０）で洗浄し，５０μｌの０．１Ｍ  ＭＥＳ緩衝液（ｐＨ７．０）を加えた。ＥＤＣ（Ｎ−エチル−Ｎ’−（３−ジメチルアミノプロピル）−カルボジイミド塩酸塩）（１０ｍｇ／ｍｌ／０．１Ｍ  ＭＥＳ緩衝液（ｐＨ７．０））を各ウェルに１０μｌずつ添加した。【００３７】
各ペプチドをジメチルスルホキシドに１０ｍｇ／ｍｌで溶解して，ペプチド溶液とした。別のプレートの各ウェルで，６０μｌの０．１Ｍ  ＭＥＳ緩衝液（ｐＨ７．０）および１５μｌのペプチド溶液の混合物を調製し，各５０μｌをフィルタープレートの各ウェルに加えた。【００３８】
暗所で２０分間反応させた後，ＥＤＣ（１ｍｇ／ｍｌ／０．１Ｍ  ＭＥＳ緩衝液（ｐＨ７．０））を各ウェル１０μｌずつ添加し，暗所で２０分間反応させた。さらにＥＤＣ（１ｍｇ／ｍｌ／０．１Ｍ  ＭＥＳ緩衝液（ｐＨ７．０））を各ウェル１０μｌずつ添加し，暗所で２０分間反応させた。フィルタープレートを吸引した後，１Ｍトリス塩酸緩衝液（ｐＨ７．０）を各ウェル１００μｌずつ添加し，暗所で室温で１５分間反応させた。次に，各ウェルのビーズを０．０５％Ｔｗｅｅｎ−２０／ＰＢＳで洗浄し，ブロックエース（登録商標）に０．０５％アジ化ナトリウムを入れて調整した保存用溶液で回収した。【００３９】
抗ペプチド抗体測定
被験者から得た血清を１０％ブロックエース（登録商標）／ＰＢＳで１００倍に希釈した。フィルタープレートを０．０５％Ｔｗｅｅｎ−２０／ＰＢＳで洗浄し，先に作成したペプチド結合ビーズを５μｌ／ウェルで添加した。ビーズを０．０５％Ｔｗｅｅｎ−２０／ＰＢＳで洗浄した後，希釈血清を１００μｌ／ウェルで加え，室温で２時間反応した。ビーズを０．０５％Ｔｗｅｅｎ−２０／ＰＢＳで洗浄し，ビオチン化ヤギ抗ヒトＩｇＧ（γ）抗体を１００μｌ／ウェルで加え，室温で１時間反応した。ビーズを０．０５％Ｔｗｅｅｎ−２０／ＰＢＳで洗浄した後，ストレプトアビジン−Ｒ−フィコエリスリンコンジュゲート（ＳＡＰＥ）を１００μｌ／ウェルで加え，室温で３０分間反応した。次に，Luminex蛍光フローメトリーシステムで蛍光強度を測定した。【００４０】
各サンプルについて少なくとも５０個のビーズを用いて測定を行い，それぞれのビーズの示す蛍光強度の中央値（Ｍｅｄｉａｎ）を抗体価とした。結果を図１および図２に示す。【００４１】
図１は，被験者の血清中の，Ｃ３０−３９：ＩＶＧＧＶＹＬＬＰＲ（配列番号１），ＮＳ５Ａ−２１３２−２１４０：ＲＹＡＰＡＣＫＰＬ（配列番号４），およびＣ３３−４２：ＧＶＹＬＬＰＲＲＧＰ（配列番号５）に対する抗体価を疾患の進行度別にプロットした結果を示す。Ｃ３０−３９に対する抗体価は，疾患の進行（ＣＨ→ＬＣ→ＨＣＣ）とともに上昇し，一方，ＮＳ５Ａ−２１３２−２１４０に対する抗体価は，疾患の進行とともに低下することがわかる。さらに，Ｃ３３−４２に対する抗体価は，疾患の進行とは無関係にＨＣＶ感染者において高い値を示すが，健康なドナーでは低いことがわかる。すなわち，この３種類のペプチドに対する抗体測定を行うことによりＣ型肝炎ウイルス感染の診断と予後の判定，すなわち慢性肝炎から肝硬変や肝癌への移行の予測が可能となることが示された。【００４２】
図２は，被験者の血清中の，Ｃ３０−３９：ＩＶＧＧＶＹＬＬＰＲ（配列番号１），Ｃ３１−４０：ＶＧＧＶＹＬＬＰＲＲ（配列番号２），およびＣ３２−４１：ＧＧＶＹＬＬＰＲＲＧ（配列番号３）に対する抗体価を疾患の進行度別にプロットした結果を示す。Ｃ３１およびＣ３２に対する抗体価も，Ｃ３０に対する抗体価と同様に，疾患の進行とともに上昇することが示された。【００４３】
図３は，被験者の血清中の，Ｃ３３−４２：ＧＶＹＬＬＰＲＲＧＰ（配列番号５），Ｃ３４−４３：ＶＹＬＬＰＲＲＧＰＲ（配列番号６），Ｃ３５−４４：ＹＬＬＰＲＲＧＰＲＬ（配列番号７），Ｃ３６−４５：ＬＬＰＲＲＧＰＲＬＧ（配列番号８）およびＣ３７−４６：ＬＰＲＲＧＰＲＬＧＶ（配列番号９）に対する抗体価を疾患の進行度別にプロットした結果を示す。これらのいずれのペプチドに対する抗体価も，疾患の進行とは無関係にＨＣＶ感染者において高い値を示すが，健康なドナーでは低いことがわかる。すなわち，これらのペプチドに対する抗体価を，上述のＣ３０，Ｃ３１またはＣ３２ペプチドに対する抗体価と組み合わせることにより，ＨＣＶ感染関連肝疾患のより正確な予後の予測が可能となる。【００４４】
既に知られているように，Ｃ３５−４４に対する抗体価は，疾患の進行とは無関係にＨＣＶ感染者において高い値を示すが，ＨＣＶ非感染の健康なドナーでは低い。一方，図１で示されるように，Ｃ３０−３９に対する抗体価は，疾患の進行とともに上昇する。そこで，被験者の血清中の，Ｃ３０−３９：ＩＶＧＧＶＹＬＬＰＲ（配列番号１）に対する抗体価と，Ｃ３５−４４：ＹＬＬＰＲＲＧＰＲＬ（配列番号７）に対する抗体価の比を計算した。その結果，図４に示されるように，Ｃ３０／Ｃ３５の値を用いると，疾患の進行と抗体価の相関がより明確に示された。なお，ＨＣＣ患者と健康なドナーとではＣ３０／Ｃ３５の値が同様であるが，健康なドナーではＣ３５に対する抗体価が有意に低いため，ＨＣＣ患者と健康なドナーとは容易に判別することが可能である。すなわち，Ｃ３０ペプチドに対する抗体価とＣ３５ペプチドに対する抗体価を組み合わせることにより，ＨＣＶ感染関連肝疾患のより正確な予後の予測が可能となる。
【産業上の利用可能性】
【００４５】
本発明は，Ｃ型肝炎ウイルス感染に関連する肝疾患の診断と予後の予測に有用である。
【図１】
0004615567.tif 000002
【図２】
0004615567.tif 000003
【図３】
0004615567.tif 000004
【図４】
0004615567.tif 000005
【図５】
0004615567.tif 000006
【図６−１】
0004615567.tif 000007
【図６−２】
0004615567.tif 000008
【図６−３】
0004615567.tif 000009
【図６−４】
0004615567.tif 000010
【図６−５】
0004615567.tif 000011
【図６−６】
0004615567.tif 000012
【図６−７】
0004615567.tif 000013
【図６−８】
0004615567.tif 000014
【図６−９】
0004615567.tif 000015
【図６−１０】
0004615567.tif 000016
【図６−１１】
0004615567.tif 000017
【図６−１２】
0004615567.tif 000018
【図６−１３】
0004615567.tif 000019
【図６−１４】
0004615567.tif 000020
【図６−１５】
0004615567.tif 000021
【図６−１６】
0004615567.tif 000022
【配列表】
0004615567000001.app